(57)【要約】【課題】  アンテナが故障、又は破損しても中継回線を確保して通信途絶を防ぐことが出来る放送局用無線中継システムを提供する。【解決手段】  従来それぞれ独立した片方向の中継回線であったＳＴＬリンクとＦＰＵリンクを統合し、ペアのリンクを構成するスタジオ無線局Ａと中継無線局Ｂとからなる放送局用無線中継システムを構成して各無線局で２本のアンテナを具備することにより、どちらかの無線局のアンテナ３、又はアンテナ４のうちいずれか一方のアンテナに故障、破損等が発生してもアンテナ切換器５により正常な他方のアンテナ３又はアンテナ４に切り換える２重化アンテナ構成とすることにより中継回線の確保が可能な無線中継システムを提供することが出来る。【選択図】  図１
2005354465.tif 000002
【特許請求の範囲】
【請求項１】
放送局のスタジオと中継所の間を指向性アンテナにより無線中継する放送局用の無線中継システムにおいて、
前記スタジオから前記中継所へ情報を中継送信するＳＴＬリンクの送信アンテナと、前記中継所から前記スタジオへ情報を中継送信するＦＰＵリンクの受信アンテナとの２つのアンテナを有するスタジオ無線局と、
前記ＳＴＬリンクの受信アンテナと、前記ＦＰＵリンクの送信アンテナとの２つのアンテナを有する中継無線局とを備え、
前記各無線局は、
前記一方のリンクの送信機又は、受信機に接続されているアンテナの接続先を他方のリンクの受信機、又は送信機に接続されているアンテナに相互切換をするアンテナ切換手段を備えることを特徴とする放送局用無線中継システム。
【請求項２】
前記各無線局は更に、
前記両リンクのうちいずれか１つを優先して通信を確保するプライオリティを各前記モニタ手段に設定するプライオリティ設定手段と、
自局が前記具備する前記いずれかのアンテナの故障を検出すると前記設定されたプライオリティと照合して前記故障したアンテナが前記プライオリティを設定されたリンクの送信アンテナであった場合、前記プライオリティを設定されたリンクの前記送信機の接続先を前記プライオリティが設定されていないリンクの前記受信アンテナに切り換える切換信号を前記アンテナ切換手段に送信し、前記故障したアンテナが前記優先プライオリティを設定されたリンクの受信アンテナであった場合、前記プライオリティを設定されたリンクの前記受信機の接続先を前記プライオリティが設定されていないリンクの前記送信アンテナに切り換える切換信号を前記アンテナ切換手段に送信してアンテナを切り換えるモニタ制御手段を具備する
ことを特徴とする請求項１に記載の放送局用無線中継システム。
【請求項３】
前記ＳＴＬリンクの前記送信アンテナと前記受信アンテナとの間の無線伝搬路と、前記ＦＰＵリンクの前記送信アンテナと前記受信アンテナとの間の無線伝搬路とが平行となる様に前記各アンテナが設置され、
且つ前記各リンクのアンテナの覆域は、
対向する前記無線局の自リンクおよび他方のリンクのアンテナをカバーしていることを特徴とする請求項１に記載の放送局用無線中継システム。
【請求項４】
前記モニタ制御手段は、
前記対向するリンクの無線伝搬路に小さい反射体を設置し、一方のリンクから送信される電波の反射波の受信レベルを送信側の前記無線局に設置された他方のリンクの前記受信アンテナおよび前記受信機、又は前記モニタ制御手段が更に具備するモニタ受信機で測定して前記送信アンテナの故障を検知することを特徴とする請求項２の放送局用無線中継システム。
【請求項５】
前記モニタ制御手段は、
前記一方のリンクの前記送信アンテナからのサイドローブを前記送信アンテナが設置された無線局に設置された他方のリンクの前記受信アンテナで受信して測定して前記送信アンテナの故障を検知することを特徴とする請求項２に記載の放送局用無線中継システム。
【請求項６】
前記プライオリティ設定手段は、
前記スタジオの放送を監視制御するホストコンピュータにより、オンラインで放送中の番組の情報を中継している前記ＳＴＬリンク、又は前記ＦＰＵリンクのいずれか一方に対して優先的に通信確保をするプライオリティを設定することを特徴とする請求項２に記載の放送局用無線中継システム。
【請求項７】
放送局のスタジオと中継所の間を指向性アンテナにより無線中継する放送局用の無線中継システムにおいて、
前記無線中継システムは、
前記スタジオ側に設置され、前記スタジオから中継所へ情報を中継送信するＳＴＬリンクの第１の送信機と前記ＳＴＬリンクの第１の送信アンテナと、前記中継所から前記スタジオへ情報を中継送信するＦＰＵリンクの第１の受信機及び前記ＦＰＵリンクの第２の受信アンテナと、前記第１のアンテナと前記第１の送信機と前記第１の受信機に接続され前記第１の送信器からの出力を前記第１のアンテナに出力し、前記第１のアンテナを介して受信する電波を前記第１の受信機に出力する第１のハイブリッド手段、および前記第２のアンテナと前記第１の送信機と前記第１の受信機に接続され前記第１の送信器からの出力を前記第２のアンテナに出力し、前記第１のアンテナを介して受信する電波を前記第１の受信機に出力する第２のハイブリッド手段とを備えるスタジオ無線局と、
前記中継所側に設置され、前記ＳＴＬリンクの第２の受信機及び第３のアンテナと、前記ＦＰＵリンクの第２の送信機及び第４のアンテナと、前記第４のアンテナと前記第２の送信機と前記第２の受信機に接続され前記第２の送信器からの出力を前記第４のアンテナに出力し、前記第４のアンテナを介して受信する電波を前記前記第２の受信機に出力する第３のハイブリッド手段、および前記第３のアンテナと前記第２の送信機と前記第２の受信機に接続され、前記第２の送信器からの出力を前記第３のアンテナに出力し、前記第３のアンテナを介して受信する電波を前記第２の受信機に出力する第４のハイブリッド手段とを備える中継無線局とを具備することを特徴とする放送局用無線中継システム。
【発明の詳細な説明】
【技術分野】
【０００１】
本発明は、アンテナを２重化した放送局用無線中継システムに関する。
【背景技術】
【０００２】
指向性アンテナによりマイクロ波や準ミリ波等を用いて中継用の映像情報等を無線中継伝送する無線中継システムでは、機器故障等による通信途絶を防ぐために無線通信装置を２重化する（例えば、非特許文献１。）。その２重化については、能動部品を用いた送信機や受信機を２重化するがアンテナは予備を備えず切り換えスイッチにより共通のアンテナを故障した送受信機から予備側の送受信器に切り換える場合が多い。放送局用の無線中継リンクにおいてもスタジオから中継所へストリーム信号で情報を伝送するＳＴＬ（Ｓｔｕｄｉｏ  ｔｏ  Ｔｒａｎｓｍｉｔｔｅｒ  Ｌｉｎｋ）リンクやフィールドから中継所へ情報を伝送するＦＰＵ（Ｆｉｅｌｄ  Ｐｉｃｋ  Ｕｐ  Ｕｎｉｔ）リンクでも同様にアンテナの２重化は行われない。その理由は、アンテナは能動部品を用いないので故障確率が低いこと、また、指向性アンテナを取り付ける無線塔などの施設に予備アンテナを取り付けるスペースの確保が困難なことによる。しかし、予備アンテナが無いと地震、台風等の災害によりアンテナが破損する事故が発生した場合に災害中継などで通信確保が必要にもかかわらずその無線中継区間での通信途絶が生じる問題があった。
【非特許文献１】DIGITAL MICROWAVE/UHF RADIOS C11 SERIES Catalog TOSHIBA CORPORATION
【発明の開示】
【発明が解決しようとする課題】
【０００３】
予備アンテナを備えない放送局用の無線中継リンクは、地震、台風等の災害によるアンテナの故障や破損時に通信途絶を防ぐことが出来ない問題があった。
【０００４】
本発明は上記問題を解決するためになされたもので、アンテナが故障、又は破損しても中継回線を確保して通信途絶を防ぐことが出来る放送局用無線中継システムを提供することを目的とする。
【課題を解決するための手段】
【０００５】
上記目的を達成するために、本発明の放送局用無線中継システムは、放送局のスタジオと中継所の間を指向性アンテナにより無線中継する放送局用の無線中継システムにおいて、前記スタジオから前記中継所へ情報を中継送信するＳＴＬリンクの送信アンテナと、前記中継所から前記スタジオへ情報を中継送信するＦＰＵリンクの受信アンテナとの２つのアンテナを有するスタジオ無線局と、前記ＳＴＬリンクの受信アンテナと、前記ＦＰＵリンクの送信アンテナとの２つのアンテナを有する中継無線局とを備え、前記各無線局は、前記一方のリンクの送信機又は、受信機に接続されているアンテナの接続先を他方のリンクの受信機、又は送信機に接続されているアンテナに相互切換をするアンテナ切換手段を備えることを特徴とする。
【０００６】
また、本発明の放送局用無線中継システムは、放送局のスタジオと中継所の間を指向性アンテナにより無線中継する放送局用の無線中継システムにおいて、前記無線中継システムは、前記スタジオ側に設置され、前記スタジオから中継所へ情報を中継送信するＳＴＬリンクの第１の送信機と前記ＳＴＬリンクの第１の送信アンテナと、前記中継所から前記スタジオへ情報を中継送信するＦＰＵリンクの第１の受信機及び前記ＦＰＵリンクの第２の受信アンテナと、前記第１のアンテナと前記第１の送信機と前記第１の受信機に接続され前記第１の送信器からの出力を前記第１のアンテナに出力し、前記第１のアンテナを介して受信する電波を前記第１の受信機に出力する第１のハイブリッド手段、および前記第２のアンテナと前記第１の送信機と前記第１の受信機に接続され前記第１の送信器からの出力を前記第２のアンテナに出力し、前記第１のアンテナを介して受信する電波を前記第１の受信機に出力する第２のハイブリッド手段とを備えるスタジオ無線局と、前記中継所側に設置され、前記ＳＴＬリンクの第２の受信機及び第３のアンテナと、前記ＦＰＵリンクの第２の送信機及び第４のアンテナと、前記第４のアンテナと前記第２の送信機と前記第２の受信機に接続され前記第２の送信器からの出力を前記第４のアンテナに出力し、前記第４のアンテナを介して受信する電波を前記前記第２の受信機に出力する第３のハイブリッド手段、および前記第３のアンテナと前記第２の送信機と前記第２の受信機に接続され、前記第２の送信器からの出力を前記第３のアンテナに出力し、前記第３のアンテナを介して受信する電波を前記第２の受信機に出力する第４のハイブリッド手段とを備える中継無線局とを具備することを特徴とする。
【発明の効果】
【０００７】
本発明によれば、従来それぞれ独立した片方向の中継回線であったＳＴＬリンクとＦＰＵリンクを１対向のリンクにすることにより、スタジオ無線局と中継無線局は、それぞれ２つのアンテナを備え、どちらかの無線局の送信用又は、受信用のアンテナの内いずれか一方のアンテナに故障、破損等が発生してもアンテナ切換器により正常な他方のアンテナに切り換えるか、又は、ハイブリッド手段を用いて送受信兼用の２重化アンテナ構成とすることによりアンテナ事故に対する中継回線の確保が可能な無線中継システムを提供することが出来る。
【発明を実施するための最良の形態】
【０００８】
以下、図面を参照して本発明の実施例を説明する。
【実施例】
【０００９】
図１は、本発明の実施例に係る無線中継システムの構成を示すブロック図である。
【００１０】
図１において無線中継システムは、対向する２つの中継回線を構成するスタジオ無線局Ａ、中継無線局Ｂからなり、スタジオ無線局Ａ、中継無線局Ｂはそれぞれ、送信機（１Ａ、１Ｂ）、受信機（２Ａ、２Ｂ）、アンテナ（３Ａ、３Ｂ）、アンテナ（４Ａ、４Ｂ）、アンテナ切換器（５Ａ、５Ｂ）およびモニタ制御部（６Ａ、６Ｂ）とを備えている。また、スタジオ無線局Ａ、中継無線局Ｂでは、各無線局の保守管理装置（端末）７、もしくは、各無線局の監視制御機能を備えたホストコンピュータ８がモニタ制御部（６Ａ、６Ｂ）の両方又は、それらのうちいずれか１つに接続される構成の場合もある。
【００１１】
送信機１Ａ−アンテナ切換器５Ａ−アンテナ３Ａ−アンテナ４Ｂ−アンテナ切換器５Ｂ−受信機２Ｂが構成するリンクは、従来ＳＴＬリンクと呼ばれる放送番組中継回線である無線中継リンクに相当し、スタジオから中継所に電波を送信する。また、送信機１Ｂ−アンテナ切換器５Ａアンテナ３Ｂ−アンテナ４Ａ−アンテナ切換器５Ａ−受信機２Ａが構成するリンクは、従来ＦＰＵリンクと呼ばれる番組素材中継回線である無線中継リンクに相当する。従来のＦＰＵリンクは、送信点をフィールド、中継所を受信点にして運用するものであったが、本発明の無線中継システムでは、送信点を中継所として、中継所からスタジオを受信点にして中継電波を送信する。そして、スタジオと中継所の間で対向したリンクを備えた放送局用無線中継システムが構成される。
【００１２】
両リンクは、元来それぞれが独立して運用されるものであって、運用状況は様々であり、必ずしも常時、同時に双方向で通信は行わない。従って、本発明の実施例についても、例えば、ＳＴＬリンクは、ニュース放送中に全国ネット構成の地方局のスタジオからセンターへ全国向けに災害状況をオンラインで送信し、ＦＰＵリンクは、番組の取材情報を空き時間にセンターからオフラインで受信する様なリンクの使用目的も異なったそれぞれ独立した運用が行われる（また、この逆の運用が行われる場合もある。）。
【００１３】
本発明の実施例における無線中継システムは、独立したＳＴＬリンクとＦＰＵリンクをペアにまとめたリンクとして統合した無線中継システムを構成し、各無線局においてアンテナを冗長構成にすることによりアンテナ事故が発生しても無線伝搬路を確保し通信途絶を防いでいる。以下、実施例における放送局用の無線中継システムの構成と処理概要について説明する。
【００１４】
このＳＴＬリンクとＦＰＵリンクは、同じスタジオと中継所の間における中継装置として設置されることからスタジオ無線局のアンテナ３Ａとアンテナ４Ａをスタジオに近い無線塔やビルなどの同一施設、又は設備の上で近傍に設置し、また中継無線局Ｂのアンテナ３Ｂとアンテナ４Ｂも同様に近傍に設置する。そして、ＳＴＬリンクのアンテナ３Ａとアンテナ４Ｂ、およびＦＰＵリンクのアンテナ３Ｂとアンテナ４Ａが構成する無線伝搬路が、近接してペアの無線リンクを構成するように設置する。そして更にＳＴＬリンクアンテナ３Ａのビーム覆域がＦＰＵリンクアンテナ３Ｂをカバーし、またＦＰＵリンクアンテナ４Ａのビーム覆域を対向するＳＴＬリンクアンテナ４Ｂもカバーするように設置する（ビームの覆域の関係は、残りのアンテナ３Ｂ、４Ｂに付いても同様である。）。電波ビームが、平行して近接した２つの無線伝搬路で双方の無線リンクが通信する場合が最も典型的な構成例である。
【００１５】
図２は、ＳＴＬリンクとＦＰＵリンクが使用する周波数の関係を説明する図である。図２において、放送局用の無線中継リンク用に使用される周波数が周波数帯ＢＴとして示されている。ｃ１〜ｃ７は、その周波数帯で無線リンクとして使用するチャネルの周波数である。例えば、ｃ１はＳＴＬリンクに、ｃ３がＦＰＵリンクに使用され、２つのチャネル間では混信等の干渉が避けられている。利得帯域Ａｇは、放送局用無線中継リンクに使用されるアンテナの利得帯域を示し、放送局用無線中継リンクの周波数帯域ＢＴを全域でカバーしている。なお、この利得帯域Ａｇは、ペアとなる２つのリンクの両帯域をカバーするもので有れば、周波数帯域ＢＴの全域をカバーするものでなくてもよい。
【００１６】
本実施例の無線中継システムは、以上の如くスタジオ無線局Ａ、および中継無線局Ｂでアンテナを各２本備え、また一方のリンクのアンテナの覆域と対向する無線局の他方のリンクのアンテナの覆域とが相互にカバーすることになり、両リンク間でアンテナを補完して運用することが出来る。
【００１７】
以下の説明では、スタジオ無線局Ａ、中継無線局Ｂにおいて共通な事項を説明する場合、上記各構成について、例えば、無線局、送信機１の様にＡ、Ｂの記号を省略して記述する。なお、送信機１、受信機２は内部で２重化され、その１つの系統が故障した場合に残る正常な系統の送信機１、又は受信機２がアンテナへ接続されるものであって良いことは言うまでもない。
【００１８】
アンテナ切換器５はモニタ制御部６に接続され、ＳＴＬリンクとＦＰＵリンクで使用するアンテナとの切換を行う。（アンテナ切換器５とモニタ制御部６とは１つにまとめられたものでも良いがここでは機能説明上２つに分離した構成とする。）
アンテナ切換器５は、送信機１、受信機２とアンテナ３、４との間で交互に接続先となるクロス切換を行う。正常時には、アンテナ切換器５を経由して送信機１は送信用のアンテナ３へ接続され、受信機２は受信用のアンテナ４へ接続される。一方、故障が発生した場合にはアンテナ切換器５を経由して受信機２は他方のリンクの送信用であったアンテナ３へ接続され、送信機１はアンテナ切換器５を経由して他方のリンクの受信用であったアンテナ４へ接続される。（なお、送受信の関係が逆の場合には、送信と受信とを互いに読み替えれば良い。）このアンテナ切換は、無線局の操作員によるスイッチ操作、または、モニタ制御部６からの切換信号によって行われる。
【００１９】
モニタ制御部６は、保守管理装置７、又はホストコンピュータ８が接続され、アンテナ３，４の送受信レベルをモニタして異常を検出するとこれらの装置に警報を出力する。一方、モニタ制御部６は、保守管理装置７、又は、ホストコンピュータ８からアンテナ切換の優先度を設定するプライオリティのコマンドが入力される。
【００２０】
このプライオリティは、アンテナ事故が発生した場合にＳＴＬリンクとＦＰＵリンクのどちらのリンクの通信確保を優先して行うかを設定するもので、例えば、番組の実況中継情報を伝送しているリンクにプライオリティを設定して、その通信を確保し、他方の待機中のリンクの通信を中止する。
【００２１】
モニタ制御部６は、警報を発生するとアンテナ切換器５へアンテナ切換信号を送信する。また、モニタ制御部６は、ローカルのプライオリティ設定スイッチ（図示せず。）を備え、保守管理装置７、又はホストコンピュータ８からどちらのリンクにプライオリティを与えるかが設定されていない場合にも、アンテナに障害が発生したことを通知する警報に従ってアンテナを切り換えるか否かのプライオリティ設定を行うことが出来る。
【００２２】
図３は、スタジオ無線局Ａの送信用のアンテナ３Ａの故障等を検知するために、アンテナ３Ａからの送信レベルを測定する構成のブロック図である。アンテナ３Ａからの送信レベルの測定方法は、アンテナ３Ａからのｃ１チャネルのサイドローブ出力をアンテナ４Ａにより受信機２Ａが受信してモニタ制御部６に出力する。また、アンテナ３からの自局が送信した電波を受信する別の方法として、対向する中継リンクの無線伝搬路、例えば、スタジオ無線局のアンテナ３Ａと中継無線局のアンテナ４Ｂとの間に、ポールの様な小さい反射体６３を設け、そこからの反射波をアンテナ４Ａにより受信機２Ａが受信してモニタ制御部６Ａに出力して測定する（図３（ａ）参照）。更に他の方法として、この反射波をモニタ制御部６のモニタ受信機６４とモニタアンテナ６５（図３（ｂ）参照）が受信して測定するものであっても良い。この他に、相手局である中継無線局Ｂの受信機２Ｂにおける受信レベルを別の通信チャネルを介してスタジオ無線局Ａのモニタ制御部６Ａに送信する等（図示せず）、アンテナ３Ａに故障又は、事故が発生したことを検出する方法であればいずれの故障検出方法を用いても良い。
【００２３】
そして、正常時の送信アンテナからの電波の受信レベルを基準とすることにより電波の送信レベルを常時モニタしてモニタ中の送信レベルが所定の値から外れた場合、送信アンテナに破損等の故障、又は事故が発生したと判定する。
【００２４】
一方、受信用アンテナ４Ａの故障、又は事故発生の検知方法は、受信機２Ａにおける自己診断および故障分離機能を利用する等のアンテナ４Ａの故障、又は事故を検知するものであればいずれの方法であって良い。（他方の中継無線局Ｂもスタジオ無線局Ａと同様にアンテナ異常を検出する。）
図４は、本実施例の無線中継システムにアンテナ事故が発生した時に障害復旧を行なう際の処理の流れを示すフローチャートである。
【００２５】
ここでは、地方局のスタジオからＳＴＬリンクにより全国向け放送番組へ台風などの災害状況のニュースをオンラインでセンターへ送信し、ＦＰＵリンクにより番組の取材情報等をオフラインで受信している場合を例に処理手順を説明する。今、地方局のホストコンピュータ８は、モニタ制御部６にコマンドを入力して（ステップ１）ＳＴＬリンクにプライオリティを与え、放送を確保しなければならない災害状況の実況放送の情報を送信している。（逆にセンターから実況放送の情報を受信する場合にはＦＰＵリンクにプライオリティが設定される。）
なお、このアンテナ３が故障した場合のＳＴＬリンク優先のプライオリティ設定は、モニタ制御部６Ａにホストコンピュータが接続されない場合は、スタジオ無線局Ｂのオペレータによりモニタ制御部６Ａに接続されている無線局保守管理装置７からプライオリティ設定コマンドを入力してモニタ制御部６Ａへプライオリティを設定する制御信号を入力しても良い。また、他の方法としてモニタ制御部６Ａに設けられたプライオリティ設定スイッチ（図示せず。）によって設定されるものであっても良い。
【００２６】
なお、プライオリティ設定手段がスタジオ無線局Ａに備えられていない場合は、プライオリティが設定されたリンクにアンテナ事故が発生した連絡を受けるか、又は警報を検知したオペレータがアンテナ切換器５に設けられた手動の切換スイッチ（図示せず。）によって送信機１Ａの接続先となるアンテナを切り換えても良い。また、中継無線局Ｂでもこのプライオリティ設定方法はスタジオ無線局Ａと同様である。
【００２７】
プライオリティ設定コマンドが入力されたモニタ制御部６は、アンテナ切換条件のプライオリティを記憶する（ステップ２）。
【００２８】
このプライオリティが設定されると、スタジオ無線局Ａでは、送信アンテナ３Ａが故障したことをモニタ６が検知した場合、アンテナ切換器５Ａは、プライオリティが設定されたＳＴＬリンクの送信機１Ａの接続先のアンテナ３ＡをＦＰＵリンクの受信用アンテナ４Ａに切り換える。この切換は、クロス切換であるので受信機２Ａは故障したアンテナ３Ａに接続されることになり、ＦＰＵリンクの信号が受信できなくなるが、プライオリティが設定されていないＦＰＵリンクで受信する情報はオフラインで扱う情報であることから受信を中断しても地方局では支障がすぐ発生することはない。一方、プライオリティが設定されていないＦＰＵアンテナ４Ａに事故が発生しても、ＳＴＬリンクの通信を確保するために受信機２Ａの接続先のアンテナ４Ａをアンテナ３Ａには切換えない。
【００２９】
さて、図１におけるＸマークで強風、飛来物等によりアンテナ３Ａが破損してＳＴＬリンクに通信障害が発生したとする。モニタ制御部６Ａは、アンテナ４Ａを介して受信した送信用のアンテナ３Ａからのサイドローブをモニタ受信機６によりその受信レベルを監視して測定する。そして、受信レベルが所定のレベルから外れることによりアンテナ３Ａが破損したこと（アンテナ事故）を検出したとする（ステップ３）。
【００３０】
モニタ制御部６Ａは、アンテナ事故の警報を発生しアンテナ切換器５Ａにアンテナ切換を行う切換信号を送信する（ステップ４）。
【００３１】
切換信号を受信したアンテナ切換器５Ａは、送信機１Ａの接続先をアンテナ３ＡからＦＰＵリンクの受信用アンテナ４Ａに切り換える（ステップ５）。送信機１Ａの出力は、図１において一点破線で示される様にアンテナ４Ａから中継無線局Ｂのアンテナ４Ｂに向けた電波となって送信される（ステップ６）。
【００３２】
アンテナ４Ａは、本来ＦＰＵリンクの受信用アンテナであることからビームの中心は、中継無線局ＢのＦＰＵリンクの送信アンテナ３Ｂに向いているが、覆域はＳＴＬリンクのアンテナ４Ｂもカバーしている。従って、中継無線局Ｂでは、アンテナ４Ｂにより正常時に準じてスタジオ無線局Ａのアンテナ４Ａからの電波を受信する（ステップ７）。そして、ＳＴＬリンクが再構成され再び通信障害が復旧する（ステップ８）。
【００３３】
以上は、送信側におけるアンテナ事故の場合の障害復旧の処理方法であるが、受信側にあたる中継無線局Ｂでもプライオリティが設定されたＳＴＵリンクの受信アンテナ４Ｂが故障した場合には、上記同様に、他方のＦＰＵリンクの送信用アンテナ３ＢがＳＴＵリンクからの電波を受信できるので、他方の送信用アンテナ３Ｂに切り換えて受信を行うことにより障害を復旧する。
【００３４】
受信用のアンテナ４Ｂに故障が発生した場合の故障検知は、受信機２Ｂの受信レベルをモニタするなどの方法によって行われる。この故障検知後のアンテナ切換動作の手順は、上述の送信用アンテナ３Ａの切換手順から容易に推測できるので詳細説明は省略する。
【００３５】
第１の実施の形態における構成では、プライオリティを設定することにより、通信確保が必須である情報を伝送中のリンクのアンテナに事故が発生した場合の通信障害を復旧可能にする。第１の実施の形態は、両無線局の間の距離が離れている場合など、受信レベルの許容マージンが採れない場合に有効である。
【００３６】
（第２の実施の形態）
第２の実施の形態の無線中継システムは、例えば、２つの無線局の間の距離が短く受信マージンが大きい場合に適している。各無線局は、２つのアンテナをそれぞれ送受信兼用にすることによりいずれか１つのアンテナが故障しても他方のアンテナで送受信が可能なので両無線局の間では上下のリンクが常に確保出来る。
【００３７】
図５は、第２の実施の形態による無線中継システムの構成を示すブロック図である。第２の実施の形態の無線中継システムは、図１に示される第１の実施の形態におけるアンテナ切換器５をハイブリッド９１と９２に置き換える以外は第１の実施の形態と同じ構成を有している。即ち、アンテナ切換器５の代わりにハイブリッド９１の共通端子をアンテナ３へ接続し、またハイブリッド９２の共通端子をアンテナ４それぞれに接続し、各ハイブリッド９１、９２の入力端子を送信機１へ接続するとともに出力端子を受信機２へ接続することにより２つのアンテナ３，４をそれぞれ送受信兼用に用いるものである。
【００３８】
即ち、第２の実施の形態では、ペアとなる平行した２本のビームの組合せによりＳＴＬリンクとＦＰＵリンクが構成される。そして、受信側では、平行なビームにより構成されるペアの主無線伝搬路に加えてサイドビームにより形成されるペアの副無線伝搬路が構成される。従って、各無線局が備える２本のアンテナのうち、一方のアンテナが故障しても他方の１本のアンテナが使用可能であれば副無線伝搬路により通信が確保される。従って、ＳＴＬリンクとＦＰＵリンクとを同時に通信継続することが出来ることから第２の実施の形態ではプライオリティの設定が不要である。例えば、地方局のスタジオ側からセンターへ災害実況情報を送信し、センターが送信された災害実況情報を編集して全国へ放送するニュース番組を再び地方局のスタジオへ送信している場合でも、地方局のスタジオでは上下両方向の無線中継リンクを確保することが出来る。
【００３９】
また、第２の実施の形態では、受信機２は、アンテナ３とアンテナ４からの受信信号を受信するが、受信機２は、受信側のアンテナが正常時にはこれらの２つの受信信号をダイバーシチ受信するものであっても良いし、正常時は、本来の平行ビームを送受信する為に対向したアンテナから受信する信号だけ選択して信号を復調するものであっても良い。この受信用のアンテナ選択信号は、第１の実施の形態におけるプライオリティの設定と同様に各無線局の保守用端末からモニタ制御部６に入力するなどの方法によって設定すれば良い。
【図面の簡単な説明】
【００４０】
【図１】本発明の実施例に係わる放送局用無線中継システムの構成を示すブロック図。
【図２】ＳＴＬリンクとＦＰＵリンクが使用する周波数およびアンテナの関係を説明する図。
【図３】スタジオ無線局Ａの送信用のアンテナ３Ａの送信レベルを測定する構成のブロック図。
【図４】本実施例の無線中継システムのアンテナ障害の復旧処理の流れを示すフローチャート。
【図５】本発明の実施例に係わる放送局用無線中継システムの第２の実施の形態の構成を示すブロック図。
【符号の説明】
【００４１】
Ａ  スタジオ無線局
Ｂ  中継無線局
１Ａ、１Ｂ  送信機
２Ａ、２Ｂ  受信機
３Ａ、３Ｂ、４Ａ、４Ｂ  アンテナ
５Ａ、５Ｂ  アンテナ切換器
６Ａ、６Ｂ  モニタ制御部
６３  反射体
６４  モニタ受信機
６５  モニタアンテナ
７  保守管理装置
８  ホストコンピュータ
９１、９２  ハイブリッド
【図１】
2005354465.tif 000003
【図２】
2005354465.tif 000004
【図３】
2005354465.tif 000005
【図４】
2005354465.tif 000006
【図５】
2005354465.tif 000007